(57)【要約】【課題】  エアコンプレッサーからの圧縮空気に含まれる水分を簡単な機構により除去する。【解決手段】  風筒１０本体内を隔壁により複数の区画に分割し、エアコプレッサーから供給される圧縮空気を圧縮空気導入口１１から下降気流室１０１に導入し、隔壁下部開口から隣の上昇気流室１０３に送り、これら隔壁を介して圧縮空気の下降、上昇と各気室内での膨張、圧縮を反復して、水分を凝結、或いは振り落として乾燥させる。凝結した水分は底部の排水バルブ１３より気室外に除去され、乾燥した圧縮空気は圧縮空気送出口１２から送出され、動力源として他の機器に供給される。【選択図】  図  １
0003117919.tif 000002
【実用新案登録請求の範囲】
【請求項１】
風筒本体内を隔壁により複数の区画に分割すると共に、区画された室を隔壁下端及び隔壁上端により交互に流通せしめて、導入された圧縮空気がこれら隔壁の流通口を経て上昇、下降する下降気流室と上昇気流室を交互に形成し、
エアコンプレッサーから供給される圧縮空気を導入して下降気流室と上昇気流室を交互に経由せしめることにより、
これら隔壁を介して圧縮空気の下降、上昇と各気室内での膨張、圧縮を反復して、水分を凝結、或いは振り落として乾燥させる、
ことを特徴とするエアコンプレッサー風筒の構造。
【請求項２】
前記風筒本体内の下降気流室及び上昇気流室は、第一下降気流室、第二下降気流室、及び第一上昇気流室、第二上昇気流室で構成し、
該風筒本体の圧縮空気導入口は該第一下降気流室上端に連結し、該第一下降気流室底端は該第一上昇気流室と連通し、該該第一上昇気流室上端は該第二下降気流室と連通し、該第二下降気流室底端は該第二上昇気流室と連通し、該第二上昇気流室上端には圧縮空気送出口を設けて、以上の構成により圧縮空気は前記圧縮空気導入口から前記風筒本体内に進入し、２回の下降と上昇の循環を経て水分を排出後、圧縮空気送出口より送出されることを特徴とする請求項１記載のエアコンプレッサー風筒の構造。
【請求項３】
前記風筒本体内の圧縮空気は、水分凝縮時に温度低下の効果をも達成することを特徴とする請求項１、或いは２記載のエアコンプレッサー風筒の構造。
【請求項４】
前記風筒本体底端には排水バルブを設けて、該排水バルブにより水分を排出することを特徴とする請求項１、或いは２記載のエアコンプレッサー風筒の構造。
【考案の詳細な説明】
【技術分野】
【０００１】
本考案は、エアコンプレッサー風筒の構造に関する。特に、エアコンプレッサーから供給される圧縮空気の除湿処理を簡単に実現する。
【背景技術】
【０００２】
圧縮空気を動力源とする機器は、動力の供給が安定しており、使用が容易で、汚染物質が発生しないため環境に優しいなどの特徴を具え、各業界で広く運用されている。該エアコンプレッサーが供給する圧縮空気は動力源として優れているが、エアコンプレッサーが供給する圧縮空気中にはしばしば一定程度の湿気を含む。しかし湿気が多い圧縮空気を動力とすると、長期間使用するうちに機械に錆び或いは電気系統のショートが生じ易い。機械器具内部に錆び或いはショート現象が発生すると、機械本体が故障するばかりでなく、電線が火を噴くなどの危険を招く恐れがある。しかも、機械の運転時には当然熱を発生するため、エアコンプレッサーが生じる気体の温度は一定程度に下げておく必要がある。
このように、エアコンプレッサーが供給する圧縮空気は、動力機器に供給する前に予め湿気を除去し、温度を下げるという処理を必要とする。しかし、中華民国特許第４４３４３４号「圧力を制御安定させる螺旋式エアコンプレッサーの空気供給システム」などの公知の処理方式では、主にエアコンプレッサーが生じる高圧気体を順番に３種の処理過程、すなわち風筒、コンデンサー、濾過水槽に流す必要がある。上記ステップを経由することにより温度は比較的低くなり、かつ比較的乾燥した高圧気体となるため、機械に供給し該機械が必要とする動力を供給することができるようになる。
しかし、この種の公知のエアコンプレッサーの気体処理手順とステップは複雑に過ぎ、少なくとも風筒、コンデンサー、濾過水槽の３種の装置を用い処理しなければ、高圧気体を機械の使用に供することはできない。これでは実に不便で、コストも高く、場所を取る。そのため、極めて実用性に乏しく、改良の必要が高いといえる。
【特許文献１】特許第３４１０３７０号公報
【特許文献２】特開平9−１９５９４１号公報
【考案の開示】
【考案が解決しようとする課題】
【０００３】
公知構造には以下の欠点があった。
すなわちエアコンプレッサーが発生する気体には一定程度の湿気を含むが、その湿気は機械器具内部に錆び或いは電気系統のショートを発生させ、機械本体の故障や電線が火を噴くなどの危険を招く恐れがあり、また機械の運転時にはエアコンプレッサーが生じる気体の温度は一定程度に下げておく必要がある。
しかし、エアコンプレッサーが生じる気体の湿気を除去し、温度を下げる公知構造は手順とステップが極めて複雑で、しかも３種の装置を必要とするため不便で、コストも高く、場所を取る。
本考案は上記構造の問題点を解決したエアコンプレッサー風筒の構造を供給するものである。
【課題を解決するための手段】
【０００４】
上記課題を解決するため、本考案は下記のエアコンプレッサー風筒の構造を供給する。
それは、公知のエアコンプレッサーの気体処理ステップにおいて多種の設備を経由する必要があった不便を改善し、エアコンプレッサーの気体処理ステップを単純化可能なものとする。
すなわち、風筒本体内を隔壁により複数の区画に分割し、エアコプレッサーから供給される圧縮空気を圧縮空気導入口から下降気流室に導入し、隔壁下部開口から隣の上昇気流室に送り、これら隔壁を介して圧縮空気の下降、上昇と各気室内での膨張、圧縮を反復して、水分を凝結、或いは振り落として乾燥させる。
凝結した水分は底部の排水バルブより気室外に除去され、乾燥した圧縮空気は圧縮空気送出口から送出され、動力源として他の機器に供給される
【考案の効果】
【０００５】
上記のように、本考案のエアコンプレッサー風筒の構造は実用性とコストパフォーマンスが高く、これらの用途における要請に適合する。
【考案を実施するための最良の形態】
【０００６】
図１、２、３に示すように、本考案エアコンプレッサー風筒の構造は、風筒本体１０を含む。
該風筒本体１０内には数個の下降気流室と上昇気流室を形成する。該気室はそれぞれ第一下降気流室１０１、第二下降気流室１０２、及び第一上昇気流室１０３、第二上昇気流室１０４で、該風筒本体１０は該第一下降気流室１０１上端において圧縮空気導入口１１を設ける。該圧縮空気導入口１１はエアコンプレッサー(図示なし)に接続し、該エアコンプレッサーの気体は該圧縮空気導入口１１より該風筒本体１０内に流入する。該風筒本体１０は、該第二上昇気流室１０４上端において圧縮空気送出口１２を設け、該圧縮空気送出口１２はエア動力工具などの機械と接続し、該エアコンプレッサーの気体は処理後に該機械に供給されて動力として利用される。該風筒本体１０底端には排水バルブを設置する。
該風筒本体１０内の第一下降気流室１０１底端は該第一上昇気流室１０３と導通し、該第一上昇気流室１０３上端は該第二下降気流室１０２と導通する。該第二下降気流室１０２底端はさらに該第二上昇気流室１０４と導通し、最後に該第二上昇気流室１０４上端において圧縮空気送出口１２に至り、気体を送出する。
【０００７】
本考案の使用時には図４に示すように、該風筒本体１０の圧縮空気導入口１１はエアコンプレッサーに接続し、該エアコンプレッサーに気体を充填する。該圧縮空気導入口１１は気体を該第一下降気流室１０１中に導入し、該第一下降気流室１０１中においては底端が第一上昇気流室１０３内に向けて開放し、気体が流通するため、気体は下降し、該第一上昇気流室１０３内に流入する。該第一上昇気流室１０３の上端は開放し該第二下降気流室１０２と通じるため、気体は該第一上昇気流室１０３内において上昇する。気体が上昇する際には、狭い開口を経て流入した気流室で膨張して上昇するため、水分が凝縮、振り落とされて、壁面に付着して気体内の湿気を除去することができ、該湿気は該第一下降気流室１０１と該第一上昇気流室１０３の底部に凝結する。この時、該排水バルブ１３により該水分を該風筒本体１０の外に排出する。
【０００８】
気体が該第一上昇気流室１０３の上端から該第二下降気流室１０２に流入する時、該第二下降気流室１０２の底端だけが開通するため、該気体は再度下降し、該第二上昇気流室１０４内に流入する。該第二上昇気流室１０４の上端には圧縮空気送出口１２を設置するため、該気体は再度上昇し湿気を排出し、該圧縮空気送出口１２より送出され圧縮空気は機械の動力となる。この上昇の過程において水分は凝結し、該排水バルブ１３により該風筒本体１０の外に排出される。該エアコンプレッサーの気体は該風筒本体１０の下降気流室及び上昇気流室を経由後、不必要な水分を除去するが、水分を除去すると同時に温度低下の効果も達成し、該圧縮空気送出口１２は比較的乾燥しかつ低温の気体を機械の駆動のために供給することができる。
【０００９】
本実施例中の風筒本体１０は２個の下降気流室及び２個の上昇気流室を設置する。これにより気体２回下降と上昇を行い循環過程により水分を除去することができる。また使用の必要に応じて、下降気流室と上昇気流室の数は増減可能で、気体循環の回数を制御し、エアコンプレッサーの気体が該風筒本体１０の圧縮空気送出口１２から排出される時、その温度と湿度は圧縮空気駆動機械の必要によりいっそう適合する。
【００１０】
上記は本考案の最適実施例にすぎず、本考案に任意の形式上の制限を加えるものではない。同様の創作精神を基になされる本考案のあらゆる修飾或いは変更もすべて本考案の創作意図として保護される範疇に入るものとする。
【図面の簡単な説明】
【００１１】
【図１】本考案エアコンプレッサー風筒の構造の外観立体透視図である。
【図２】本考案エアコンプレッサー風筒の構造の側面断面図である。
【図３】本考案エアコンプレッサー風筒の構造の縦断面図である。
【図４】本考案エアコンプレッサー風筒の構造の使用指示図である。
【符号の説明】
【００１２】
１０  風筒本体
１０１  第一下降気流室
１０２  第二下降気流室
１０３  第一上昇気流室
１０４  第二上昇気流室
１１  圧縮空気導入口
１２  圧縮空気送出口
１３  排水バルブ
【図１】
0003117919.tif 000003
【図２】
0003117919.tif 000004
【図３】
0003117919.tif 000005
【図４】
0003117919.tif 000006